(57)【要約】【課題】  煩雑な作業を伴うことなくハーフサイズの画像を読み取り、画質の劣化を最小限に抑制する。【解決手段】  画像読取装置２のシステムコントローラ１７は、コマ検出センサ６６の検出結果からハーフサイズの１３５フイルム３５であると識別した場合、第２先端検出センサ６５とコマ検出センサ６６との検出結果から、１３５フイルム３５の先端９６と、その先頭コマ９１ａの始端９３ａとの距離ｄ１を求め、この距離ｄ１が、フルサイズおよびハーフサイズの画像コマ９０、９１の搬送方向の長さをそれぞれｄｆおよびｄｈとして、ｄ２＝（ｄｆ−ｄｈ）／２で表される距離ｄ２よりも小さい場合に、１３５フイルム３５の先端９６と後端９７が圧着板８１に圧着される位置に１３５フイルム３５が停止されるように、フイルム搬送モータ７４の駆動を制御する。【選択図】        図８
2005195980.tif 000002
【特許請求の範囲】
【請求項１】
写真フイルムに記録された画像を読み取って画像信号を出力する撮像手段と、
前記写真フイルムを搬送経路に沿って搬送するとともに、前記写真フイルムの画像コマを読み取る読み取り枠が形成されたフイルムキャリアとを備えた画像読取装置において、  前記写真フイルムの搬送方向に関して、前記読み取り枠の上流側および下流側で前記写真フイルムを押さえ付けて、前記読み取り枠にセットされた画像コマを平坦化する平坦化機構と、
前記画像コマのサイズがハーフサイズ、フルサイズのいずれであるかを識別するサイズ識別手段と、
前記サイズ識別手段により前記画像コマのサイズがハーフサイズであると識別され、ハーフサイズの写真フイルムの先頭コマまたは最終コマを読み取る際に、前記写真フイルムの先端部分および後端部分の少なくとも一方が、前記平坦化機構に掛かる位置で前記写真フイルムを停止させる搬送制御手段とを設けたことを特徴とする画像読取装置。
【請求項２】
前記写真フイルムの先端を検出する先端検出センサと、前記画像コマを検出するコマ検出センサとを、前記読み取り枠の前記搬送方向上流側に設けるとともに、
前記搬送制御手段は、前記先端検出センサと前記コマ検出センサとの検出結果から、前記先端と前記先頭コマの始端との距離ｄ１を求め、
この距離ｄ１が、フルサイズおよびハーフサイズの画像コマの前記搬送方向の長さをそれぞれｄｆおよびｄｈとして、
ｄ２＝（ｄｆ−ｄｈ）／２
で表される距離ｄ２よりも小さい場合には、ハーフサイズの写真フイルムの先頭コマを読み取る際に、前記先頭コマが前記読み取り枠の中央にセットされる位置から、前記搬送方向下流側に少なくともｄ２−ｄ１分ずらして前記写真フイルムを停止させる位置ずらしを行い、
距離ｄ１が距離ｄ２よりも大きい場合には、前記位置ずらしを行わないことを特徴とする請求項１に記載の画像読取装置。
【請求項３】
前記搬送制御手段は、前記距離ｄ１が前記距離ｄ２よりも小さい場合には、ハーフサイズの写真フイルムの最終コマを読み取る際に、前記最終コマが前記読み取り枠の中央にセットされる位置から、前記搬送方向上流側に少なくともｄ２−ｄ１分ずらして前記写真フイルムを停止させる位置ずらしを行い、
距離ｄ１が距離ｄ２よりも大きい場合には、前記位置ずらしを行わないことを特徴とする請求項２に記載の画像読取装置。
【請求項４】
前記搬送制御手段は、前記先頭コマ以降から前記最終コマの手前までの画像コマを読み取る際には、前記撮像手段に画像を結像させる光学系の光軸と、前記画像コマの中心とが合う位置に前記写真フイルムを停止させることを特徴とする請求項１ないし３のいずれかに記載の画像読取装置。
【請求項５】
前記フイルムキャリアは、前記読み取り枠にロアマスクを有するキャリアベースと、  前記ロアマスクに対峙する位置で、且つ前記ロアマスクとで前記写真フイルムを挟むように配置されるアッパマスクと、
前記平坦化機構として、前記アッパマスクを保持し、前記写真フイルムを開放する退避位置と、前記写真フイルムを前記ロアマスクおよび前記アッパマスクにより挟持する挟持位置との間で変位自在な圧着板とを備えたことを特徴とする請求項１ないし４のいずれかに記載の画像読取装置。
【請求項６】
前記平坦化機構は、前記搬送方向に関して、前記読み取り枠の前記搬送方向上流側および下流側にそれぞれ配された第１および第２搬送ローラ対からなり、
前記第１および第２搬送ローラ対を構成する搬送ローラのうち少なくとも１つを、前記写真フイルムを搬送するための一対のローラ部と、このローラ部よりも小径の軸部とから構成し、
前記ローラ部の側端が前記画像コマに接触しないように、前記搬送ローラを配置するとともに、前記軸部の外周面で前記写真フイルムの幅方向のカールを矯正することを特徴とする請求項１ないし４のいずれかに記載の画像読取装置。
【請求項７】
前記平坦化機構は、前記搬送方向に関して、前記読み取り枠の前記搬送方向上流側および下流側にそれぞれ配された第１および第２搬送ローラ対からなり、
前記第１および第２搬送ローラ対を構成する搬送ローラのうち少なくとも１つを、前記写真フイルムの両側部と当接する同径ローラから構成し、
この同径ローラの外周面で前記幅方向のカールを矯正することを特徴とする請求項１ないし４のいずれかに記載の画像読取装置。
【請求項８】
前記撮像手段として、エリアＣＣＤセンサを用いたことを特徴とする請求項１ないし７のいずれかに記載の画像読取装置。
【発明の詳細な説明】
【技術分野】
【０００１】
本発明は、ハーフサイズの写真フイルムから画像を読み取る際に好適な画像読取装置に関する。
【背景技術】
【０００２】
複数コマが連続した写真フイルムを１コマ毎に給送して、ＣＣＤなどの撮像素子で各コマに記録された画像を読み取る画像読取装置が普及している。この画像読取装置は、写真フイルムの各コマを読み取り位置に位置決めするためのフイルムキャリアを備えている。      
【０００３】
従来の画像読取装置で、ハーフサイズの画像が記録された写真フイルムから画像を読み取る場合には、フイルムキャリアのマスクをハーフサイズ用に交換するなど、煩雑な作業を伴っていた。また、マスクの着脱機構などを設ける必要があるため、フイルムキャリアの構造が複雑化して、製造コストが嵩むという問題があった。
【０００４】
上記問題を解決するために、フルサイズのネガマスクを用いて、ハーフサイズの２コマ分をＣＣＤラインセンサで一括して読み取り、読み取ったデータを処理して２コマのデータに分離する画像読取装置が提案されている（特許文献１および２参照）。
【０００５】
【特許文献１】特開２０００−３０５１８４号公報
【特許文献２】特開２００１−７９６４号公報
【発明の開示】
【発明が解決しようとする課題】
【０００６】
特許文献１および２に記載の画像読取装置では、ＣＣＤラインセンサの撮像面の端で画像を読み取るため、ＣＣＤラインセンサに画像を結像させる光学レンズの倍率色収差による影響で、色ずれが生じやすいという問題があった。また、赤外光を用いて写真フイルム上の傷や塵埃の検出を行う場合に、上記の倍率色収差により正常な画素の画像データまで補正してしまうおそれがあった。
【０００７】
本発明は、上記課題を鑑みてなされたものであり、煩雑な作業を伴うことなくハーフサイズの画像を読み取ることができ、画質の劣化を最小限に抑制することができる画像読取装置を提供することを目的とする。
【課題を解決するための手段】
【０００８】
上記目的を達成するために、本発明は、写真フイルムに記録された画像を読み取って画像信号を出力する撮像手段と、前記写真フイルムを搬送経路に沿って搬送するとともに、前記写真フイルムの画像コマを読み取る読み取り枠が形成されたフイルムキャリアとを備えた画像読取装置において、前記写真フイルムの搬送方向に関して、前記読み取り枠の上流側および下流側で前記写真フイルムを押さえ付けて、前記読み取り枠にセットされた画像コマを平坦化する平坦化機構と、前記画像コマのサイズがハーフサイズ、フルサイズのいずれであるかを識別するサイズ識別手段と、前記サイズ識別手段により前記画像コマのサイズがハーフサイズであると識別され、ハーフサイズの写真フイルムの先頭コマまたは最終コマを読み取る際に、前記写真フイルムの先端部分および後端部分の少なくとも一方が、前記平坦化機構に掛かる位置で前記写真フイルムを停止させる搬送制御手段とを設けたことを特徴とする。
【０００９】
なお、前記写真フイルムの先端を検出する先端検出センサと、前記画像コマを検出するコマ検出センサとを、前記読み取り枠の前記搬送方向上流側に設けるとともに、前記搬送制御手段は、前記先端検出センサと前記コマ検出センサとの検出結果から、前記先端と前記先頭コマの始端との距離ｄ１を求め、この距離ｄ１が、フルサイズおよびハーフサイズの画像コマの前記搬送方向の長さをそれぞれｄｆおよびｄｈとして、ｄ２＝（ｄｆ−ｄｈ）／２で表される距離ｄ２よりも小さい場合には、ハーフサイズの写真フイルムの先頭コマを読み取る際に、前記先頭コマが前記読み取り枠の中央にセットされる位置から、前記搬送方向下流側に少なくともｄ２−ｄ１分ずらして前記写真フイルムを停止させる位置ずらしを行い、距離ｄ１が距離ｄ２よりも大きい場合には、前記位置ずらしを行わないことが好ましい。
【００１０】
また、前記搬送制御手段は、前記距離ｄ１が前記距離ｄ２よりも小さい場合には、ハーフサイズの写真フイルムの最終コマを読み取る際に、前記最終コマが前記読み取り枠の中央にセットされる位置から、前記搬送方向上流側に少なくともｄ２−ｄ１分ずらして前記写真フイルムを停止させる位置ずらしを行い、距離ｄ１が距離ｄ２よりも大きい場合には、前記位置ずらしを行わないことが好ましい。
【００１１】
また、前記搬送制御手段は、前記先頭コマ以降から前記最終コマの手前までの画像コマを読み取る際には、前記撮像手段に画像を結像させる光学系の光軸と、前記画像コマの中心とが合う位置に前記写真フイルムを停止させることが好ましい。
【００１２】
なお、前記フイルムキャリアは、前記読み取り枠にロアマスクを有するキャリアベースと、前記ロアマスクに対峙する位置で、且つ前記ロアマスクとで前記写真フイルムを挟むように配置されるアッパマスクと、前記平坦化機構として、前記アッパマスクを保持し、前記写真フイルムを開放する退避位置と、前記写真フイルムを前記ロアマスクおよび前記アッパマスクにより挟持する挟持位置との間で変位自在な圧着板とを備えることが好ましい。
【００１３】
あるいは、前記平坦化機構は、前記搬送方向に関して、前記読み取り枠の前記搬送方向上流側および下流側にそれぞれ配された第１および第２搬送ローラ対からなり、前記第１および第２搬送ローラ対を構成する搬送ローラのうち少なくとも１つを、前記写真フイルムを搬送するための一対のローラ部と、このローラ部よりも小径の軸部とから構成し、前記ローラ部の側端が前記画像コマに接触しないように、前記搬送ローラを配置するとともに、前記軸部の外周面で前記写真フイルムの幅方向のカールを矯正することが好ましい。      
【００１４】
また、あるいは、前記平坦化機構は、前記搬送方向に関して、前記読み取り枠の前記搬送方向上流側および下流側にそれぞれ配された第１および第２搬送ローラ対からなり、前記第１および第２搬送ローラ対を構成する搬送ローラのうち少なくとも１つを、前記写真フイルムの両側部と当接する同径ローラから構成し、この同径ローラの外周面で前記幅方向のカールを矯正することが好ましい。
【００１５】
さらに、前記撮像手段として、エリアＣＣＤセンサを用いることが好ましい。
【発明の効果】
【００１６】
本発明の画像読取装置によれば、写真フイルムの搬送方向に関して、読み取り枠の上流側および下流側で写真フイルムを押さえ付けて、読み取り枠にセットされた画像コマを平坦化する平坦化機構と、画像コマのサイズがハーフサイズ、フルサイズのいずれであるかを識別するサイズ識別手段と、サイズ識別手段により画像コマのサイズがハーフサイズであると識別され、ハーフサイズの写真フイルムの先頭コマまたは最終コマを読み取る際に、写真フイルムの先端部分および後端部分の少なくとも一方が、平坦化機構に掛かる位置で写真フイルムを停止させる搬送制御手段とを設けたので、煩雑な作業を伴うことなくハーフサイズの画像を読み取ることができ、画質の劣化を最小限に抑制することができる。
【発明を実施するための最良の形態】
【００１７】
図１において、本発明を適用した画像読取装置２は、光源１０、拡散ボックス１１、フイルムキャリア１２、および撮像部１３などを備えており、これらは撮像部１３の光軸１４（図中一点鎖線で示す）上に配置されている。
【００１８】
光源１０は、マトリクス状に配列された赤色（Ｒ）、緑色（Ｇ）、青色（Ｂ）、および赤外（ＩＲ）光を発する複数のＬＥＤからなり、リフレクタ１５に囲まれている。この光源１０は、ドライバ１６を介してシステムコントローラ１７により駆動制御され、ＲＧＢおよびＩＲの点灯が順次切り換えられる。ＩＲは、１３５フイルム３５またはＩＸ２４０フイルム３６（図２参照）に付着した塵埃やフイルム上の傷などを検出する際に用いられる。なお、光源１０としては、例えばハロゲンランプと色フィルタとの組み合わせでもよい。
【００１９】
拡散ボックス１１の下面および上面には、光を拡散させる拡散板２０、２１がそれぞれ設けられている。リフレクタ１５で反射された光は、下面に配置された拡散板２０で拡散されて拡散ボックス１１に入射し、拡散ボックス１１の内面で反射しながら上方に導かれ、上面に配置された拡散板２１で再び拡散される。拡散ボックス１１で拡散された光は、画像の読み取り位置にセットされた１３５フイルム３５またはＩＸ２４０フイルム３６に向けて照射される。これにより、１３５フイルム３５またはＩＸ２４０フイルム３６が、ほぼ均一な光量で照明される。
【００２０】
撮像部１３は、レンズユニット２２と、エリアＣＣＤセンサ（ＣＣＤ）２３とを備えている。レンズユニット２２には、マスターレンズ、フレネルレンズ、補正レンズ、絞りなどの各種光学レンズが纏めて搭載されており、１３５フイルム３５またはＩＸ２４０フイルム３６を透過した光をＣＣＤ２３の撮像面上に結像させる。
【００２１】
ＣＣＤ２３は、レンズユニット２２により撮像面上に結像された画像を、電気的な撮像信号に変換して出力する。ＣＣＤ２３で出力された撮像信号は、アンプ２４で増幅された後、Ａ／Ｄコンバータ（Ａ／Ｄ）２５によりデジタル信号に変換され、システムコントローラ１７に送信される。システムコントローラ１７は、Ａ／Ｄ２５から送信されたデジタルの画像信号に対して、シェーディング補正などの各種画像処理を施す。
【００２２】
図２および図３において、フイルムキャリア１２は、キャリアベース３０と上カバー３１とから構成される。上カバー３１は、取り付け軸３２によりキャリアベース３０に取り付けられ、図２に示す倒伏位置と、図３に示す起立位置との間で、キャリアベース３０に対して開閉自在となっている。                                                          
【００２３】
上カバー３１は、図示しないバネにより起立位置に向けて付勢されている。キャリアベース３０には、上カバー３１を倒伏位置でロックするロック部材３３と、ロック部材３３のロックを解除する解除ボタン３４とが設けられている。解除ボタン３４を操作すると、取り付け軸３２を中心にして上カバー３１が起立位置に回転し、後述するフイルム搬送路３７、３８が露呈する。
【００２４】
キャリアベース３０と上カバー３１との間には、ストリップ形態の１３５フイルム３５を搬送する１３５フイルム搬送路３７と、ＩＸ２４０フイルム３６を搬送するＩＸ２４０フイルム搬送路３８とが、取り付け軸３２と平行に並設されている。各フイルム搬送路３７、３８は、キャリアベース３０に形成された断面コの字状の下溝３７ａ、３８ａと、上カバー３１に形成された上溝３７ｂ、３８ｂとからなる。フイルムキャリア１２は、図示しないスライド機構により、画像の読み取り位置に対してフイルム搬送路３７、３８の幅方向にスライドし、２つのフイルム搬送路３７、３８のいずれか一方が読み取り位置に選択的にセットされる。
【００２５】
１３５フイルム搬送路３７の始端には、１３５フイルム３５を挿入するためのフイルム挿入口３９が設けられている。また、ＩＸ２４０フイルム搬送路３８の始端には、ＩＸ２４０フイルム３６のカートリッジ４０が装填されるカートリッジ装填部４１が設けられている。一方、各フイルム搬送路３７、３８の終端には、画像読み取り後の各フイルム３５、３６を巻き取って一時的に収納するフイルム収納部４２が設けられている。
【００２６】
カートリッジ装填部４１の上部には、ツマミ４１ａが取り付けられている。このツマミ４１ａを持って上方に引くと、カートリッジ装填部４１が装填位置にセットされ、カートリッジ４０が装填可能となる。カートリッジ４０の装填後、ツマミ４１ａを下方に戻すと、カートリッジ装填部４１がガイド位置に戻り、カートリッジ４０のフイルム送り出し口がＩＸ２４０フイルム搬送路３８に位置決めされる。そして、カートリッジ装填部４１内に設けられたフイルム送り出し部（図示せず）により、ＩＸ２４０フイルム搬送路３８に向けてＩＸ２４０フイルム３６が送り出される。
【００２７】
各フイルム搬送路３７、３８の中程には、その下方から光源１０からの光が照射される第１、第２読み取り開口４３、４４を有する第１、第２読み取り枠４５、４６が配置されている。この第１、第２読み取り枠４５、４６では、各フイルム３５、３６を透過した光がＣＣＤ２３で撮像され、各コマの画像が読み取られる。
【００２８】
第１、第２読み取り枠４５、４６の下溝３７ａ、３８ａには、第１、第２ロアマスク４７、４８が取り付けられている。また、第１、第２ロアマスク４７、４８に対峙する上溝３７ｂ、３８ｂの位置には、第１、第２アッパマスク４９、５０が取り付けられている。なお、符号５１は操作パネルであり、フイルム送りの際に操作される。
【００２９】
図４に示すように、１３５フイルム搬送路３７には、フイルム挿入口３９から順に、第１先端検出センサ６０、第１搬送ローラ対６１、第１パーフォレーションセンサ６２、第２搬送ローラ対６３、第３搬送ローラ対６４、第２先端検出センサ６５、コマ検出センサ６６、前述の第１読み取り開口４３を有する第１読み取り枠４５、第４搬送ローラ対６７、および第２パーフォレーションセンサ６８が配置されている。また、ＩＸ２４０フイルム搬送路３８には、カートリッジ装填部４１から順に、第５搬送ローラ対６９、第３パーフォレーションセンサ７０、磁気読み取りヘッド７１、第６搬送ローラ対７２、前述の第２読み取り開口４４を有する第２読み取り枠４６、および第７搬送ローラ対７３が配置されている。これら各部の動作は、システムコントローラ１７により統括的に制御される。      
【００３０】
第１、第２先端検出センサ６０、６５は、フイルム挿入口３９、および第１読み取り枠４５への１３５フイルム３５の先端の挿入を検出して、この検出信号をシステムコントローラ１７に送信する。また、コマ検出センサ６６は、１３５フイルム３５の画像コマ９０、９１のフイルム搬送方向の始端９２、９３および終端９４、９５（図８参照）を検出して、この検出信号をシステムコントローラ１７に送信する。システムコントローラ１７は、送信された検出信号に基づいて、フイルム搬送モータ７４を正転駆動させる。なお、第２先端検出センサ６５とコマ検出センサ６６とを、１つのセンサで共用してもよい。
【００３１】
フイルム搬送モータ７４の駆動力は、図示しないタイミングベルトやプーリを介して、第１〜第７搬送ローラ対６１、６３、６４、６７、６９、７２、７３に伝達される。これにより、第１〜第７搬送ローラ対６１、６３、６４、６７、６９、７２、７３が同期して回転し、各フイルム３５、３６を各フイルム搬送路３７、３８に引き込む。なお、以下の説明では、フイルム搬送モータ７４の正転に応じた搬送方向をＡ、逆転に応じた搬送方向をＢとする。
【００３２】
第１〜第３パーフォレーションセンサ６２、６８、７０は、１３５フイルム３５のパーフォレーション３５ａや、ＩＸ２４０フイルム３６のパーフォレーションを検出して、この検出信号をシステムコントローラ１７に送信する。システムコントローラ１７は、送信された検出信号をカウントし、各コマの記録位置を特定する。磁気読み取りヘッド７１は、ＩＸ２４０フイルム３６の磁気記録層に記録された撮影情報を読み取ってシステムコントローラ１７に送信する。
【００３３】
フイルム収納部４２には、画像読み取り後の各フイルム３５、３６が巻き取られる巻き取り軸７５、７６が設けられている。これらの巻き取り軸７５、７６は、フイルム搬送モータ７４の駆動を利用して回転し、各フイルム３５、３６を先端から巻き取って収納する。なお、フイルム搬送モータ７４とは別個に、巻き取り専用のモータを設けてもよい。
【００３４】
図５〜図７に示すように、第１、第２読み取り枠４５、４６周辺には、圧着機構８０が設けられている。圧着機構８０は、第１、第２アッパマスク４９、５０を保持する圧着板８１と、駆動部８２とからなる。
【００３５】
圧着板８１は、詳しくは図７に示すように、フイルム搬送路３７、３８の幅方向と平行に配置された軸受け８３に、ネジ８４を介して取り付けられている。この圧着板８１は、ネジ８４を軸として、各フイルム３５、３６を開放する退避位置（図５および図６の（Ａ）に示す）と、各フイルム３５、３６を第１、第２ロアマスク４７、４８および第１、第２アッパマスク４９、５０により挟持する挟持位置（図５および図６の（Ｂ）に示す）との間で回動自在となっている。なお、ここでは上カバー３１に圧着板８１を取り付けているが、キャリアベース３０に取り付けてもよい。
【００３６】
圧着板８１と上溝３７ｂ、３８ｂとの間には、圧着板８１を上カバー３１側に付勢するバネ８５が取り付けられている。圧着板８１は、このバネ８５により、通常時には各フイルム搬送路３７、３８から離間した退避位置に保持される。
【００３７】
駆動部８２は、ソレノイド８６と鉄片８７とからなる。ソレノイド８６は、キャリアベース３０側に取り付けられている。また、鉄片８７は、圧着板８１側のソレノイド８６の上方に対峙する位置に取り付けられている。ソレノイド８６は、鉄心８６ａと、この鉄心８６ａに巻きつけられたコイル（図示せず）とから構成されている。システムコントローラ１７の制御によりコイルに通電が行われると、磁力を発生した鉄心８６ａが鉄片８７を吸着して、圧着板８１を引き寄せる。これにより、第１、第２アッパマスク４９、５０と第１、第２ロアマスク４７、４８とで、各フイルム３５、３６の読み取り対象コマの周辺部が押さえ付けられ、対象コマが平坦化される。なお、駆動部８１としては、上記のようにソレノイド８６を用いる代わりに、モータによるカム駆動などを利用してもよい。
【００３８】
上カバー３１の内壁面側には、圧着板８１の先端部に対面する位置に弾性部材８８が設けられている。弾性部材８８は、ゴムまたはスポンジなどから形成されており、圧着板８１が上カバー３１に近接する位置に移動してきたときに、圧着板８１と上カバー３１とが直接衝突するのを防止する。
【００３９】
図８に示すように、画像読取装置２では、（Ａ）に示すフルサイズと、（Ｂ）に示すハーフサイズの画像コマ９０、９１が複数形成された１３５フイルム３５を扱うことが可能となっている。これらのサイズの識別は、システムコントローラ１７で、コマ検出センサ６６の検出結果（画像コマ９０、９１の始端９２、９３から終端９４、９５までの検出時間間隔）とフイルム搬送モータ７４によるフイルムの搬送速度とから、画像コマ９０、９１の搬送方向の長さｄｆ、ｄｈを求めることにより行われる。
【００４０】
システムコントローラ１７は、第２先端検出センサ６５とコマ検出センサ６６との検出結果から、ハーフサイズの１３５フイルム３５の先端９６と、その先頭コマ９１ａの始端９３ａとの距離ｄ１を求め、この距離ｄ１が、
ｄ２＝（ｄｆ−ｄｈ）／２
で表される距離ｄ２よりも小さい場合には、ハーフサイズの１３５フイルム３５の先端９６と後端９７が、圧着板８１に圧着される位置に１３５フイルム３５が停止されるように、フイルム搬送モータ７４の駆動を制御する。すなわち、ハーフサイズの１３５フイルム３５の先頭コマ９１ａを読み取る際には、光軸１４と先頭コマ９１ａの中心Ｏｈとが合う位置から、Ａ方向に少なくともｄ２−ｄ１分ずらした位置に１３５フイルム３５を停止させ、最終コマ９１ｂを読み取る際には、光軸１４と最終コマ９１ｂの中心Ｏｈとが合う位置から、Ｂ方向に少なくともｄ２−ｄ１分ずらした位置に停止させる。一方、距離ｄ１が距離ｄ２よりも大きい場合には、上記位置ずらしを行わない。ここで、ｄｆ、ｄｈの値は、一般に、それぞれ３６ｍｍ、１８ｍｍであるので、ｄ２＝（３６−１８）／２＝９ｍｍとなる。
【００４１】
また、コマ検出センサ６６の検出結果から、フルサイズの１３５フイルム３５であると識別した場合、システムコントローラ１７は、上記のような位置ずらしをせずに、光軸１４と画像コマ９０の中心Ｏｆとが合う位置に１３５フイルム３５が停止されるように、フイルム搬送モータ７４の駆動を制御する。
【００４２】
さらに、システムコントローラ１７は、ハーフサイズの１３５フイルム３５の先頭コマ９１ａ以降から最終コマ９１ｂの手前までの画像コマ９１を読み取る際には、フルサイズの１３５フイルム３５の画像を読み取る場合と同様に、光軸１４と画像コマ９１の中心Ｏｈとが合う位置に１３５フイルム３５が停止されるように、フイルム搬送モータ７４の駆動を制御する。
【００４３】
次に、上記構成を有する画像読取装置２の動作について説明する。まず、１３５フイルム３５から画像を読み取る場合には、読み取り位置に１３５フイルム搬送路３７の第１読み取り枠４５が合うようにフイルムキャリア１２をスライドさせ、フイルム挿入口３９から１３５フイルム３５を挿入する。
【００４４】
１３５フイルム３５がフイルム挿入口３９に挿入されると、その先端が第１先端検出センサ６０に検出され、この検出信号がシステムコントローラ１７に送信される。システムコントローラ１７は、検出信号に応答してフイルム搬送モータ７４を正転駆動させる。これにより、第１〜第４搬送ローラ対６１、６３、６４、６７が同期して回転され、１３５フイルム３５が第１読み取り枠４５に向けて搬送される。
【００４５】
１３５フイルム３５の搬送中は、第１、第２パーフォレーションセンサ６２、６８で１３５フイルム３５のパーフォレーション３５ａが検出される。システムコントローラ１７では、第１、第２パーフォレーションセンサ６２、６８からフイルム頭出し分に応じた所定の検出信号を受信すると、フイルム搬送モータ７４の駆動を一旦停止させる。これにより、先頭コマが第１読み取り枠４５にセットされる。
【００４６】
このとき、第２先端検出センサ６５とコマ検出センサ６６とにより、第１読み取り枠４５への１３５フイルム３５の先端の挿入、および１３５フイルム３５の画像コマ９０、９１の先端９２、９３および後端９４、９５が検出され、この検出信号がシステムコントローラ１７に送信される。
【００４７】
システムコントローラ１７では、コマ検出センサ６６の検出結果から、フルサイズの画像コマ９０が形成された１３５フイルム３５であるか、ハーフサイズの画像コマ９１が形成された１３５フイルム３５であるかが識別される。そして、ハーフサイズの１３５フイルム３５であると識別された場合、第２先端検出センサ６５とコマ検出センサ６６との検出結果から距離ｄ１が求められ、この距離ｄ１が距離ｄ２よりも小さい場合には、光軸１４と先頭コマ９１ａの中心Ｏｈとが合う位置から、Ａ方向に少なくともｄ２−ｄ１分ずらした位置に１３５フイルム３５が停止される。一方、フルサイズの１３５フイルム３５であると識別された場合、あるいは、距離ｄ１が距離ｄ２よりも大きい場合には、上記位置ずらしは行われず、光軸１４と先頭コマ９０ａ、９１ａの中心Ｏｆ、Ｏｈとが合う位置に１３５フイルム３５が停止される。
【００４８】
先頭コマの第１読み取り枠４５へのセットが完了すると、システムコントローラ１７によりソレノイド８６のコイルに通電が行われ、磁力を発生した鉄心８６ａが鉄片８７を吸着して、圧着板８１が引き寄せられる。これにより、圧着板８１がネジ８４を軸として挟持位置に回動し、第１アッパマスク４９と第１ロアマスク４７とで、１３５フイルム３５の先頭コマが押さえ付けられる。
【００４９】
圧着機構８０が作動して１３５フイルム３５が第１アッパマスク４９と第１ロアマスク４７とにより押さえ付けられた後、システムコントローラ１７からプレスキャン開始信号が送信され、光源１０のＬＥＤが順次点灯される。このプレスキャンは、比較的粗い読み取り精度で各コマの画像を読み取り、後に行われるファインスキャンで読み取ったデータを補正するプレスキャン情報をコマ毎に算出するために行われる。このとき、ＩＲにより１３５フイルム３５に付着した塵埃やフイルム上の傷などもあわせて検出される。プレスキャン情報は、システムコントローラ１７内の図示しないメモリに、各コマに対応付けて記憶される。
【００５０】
先頭コマのプレスキャン後、システムコントローラ１７によりフイルム搬送モータ７４が再び正転駆動され、１３５フイルム３５がＡ方向に１コマ分移送される。ここで、ハーフサイズの１３５フイルム３５であると識別された場合、先頭コマ９１ａ以降から最終コマ９１ｂの手前までの画像コマ９１を読み取る際には、光軸１４と画像コマ９１の中心Ｏｈとが合う位置に１３５フイルム３５が停止されるように、フイルム搬送モータ７４の駆動が制御される。以下、同様に１３５フイルム３５がＡ方向に１コマずつ送られながら、各コマに対してプレスキャンが行われる。
【００５１】
ハーフサイズの１３５フイルム３５であると識別され、距離ｄ１が距離ｄ２よりも小さかった場合、最終コマ９１ｂを読み取る際には、光軸１４と最終コマ９１ｂの中心Ｏｈとが合う位置から、Ｂ方向に少なくともｄ２−ｄ１分ずらした位置に１３５フイルム３５が停止される。一方、フルサイズの１３５フイルム３５であると識別された場合、あるいは、距離ｄ１が距離ｄ２よりも大きい場合には、上記位置ずらしは行われず、光軸１４と画像コマ９２の中心Ｏｆ、Ｏｈとが合う位置に１３５フイルム３５が停止される。なお、プレスキャンの際には、１３５フイルム３５の先端９２、９３がフイルム収納部４２の巻き取り軸７５に巻き取られ、１３５フイルム３５がフイルム収納部４２に一時的に収納される。
【００５２】
全コマのプレスキャン後、システムコントローラ１７によりフイルム搬送モータ７４の駆動が停止される。そして、フイルム搬送モータ７４が逆転駆動され、１３５フイルム３５がＢ方向に逆送される。画像読取装置２では、記憶したプレスキャン情報に基づいて、最終コマから順にファインスキャンが行われ、各コマの画像が読み取られる。このときもプレスキャン時と同様に、ハーフサイズの１３５フイルム３５であると識別され、距離ｄ１が距離ｄ２よりも小さかった場合は、最終コマ９１ｂと先頭コマ９１ａを読み取る際に上記位置ずらしが行われる。全コマのファインスキャン後、１３５フイルム３５は、第１〜第４搬送ローラ対６１、６３、６４、６７によりＢ方向に逆送され、フイルム挿入口３９から排出される。
【００５３】
プレスキャンおよびファインスキャン時、光源１０からの光は、リフレクタ１５により反射され、拡散ボックス１１に入射される。拡散ボックス１１に入射した光は、拡散ボックス１１の拡散板２０、２１により拡散され、第１読み取り開口４３を介して１３５フイルム３５に照射される。１３５フイルム３５を透過した光は、レンズユニット２２によりＣＣＤ２３の撮像面上に結像される。ＣＣＤ２３では、レンズユニット２２により撮像面上に結像された画像が、電気的な撮像信号に変換して出力される。ＣＣＤ２３で出力された撮像信号は、アンプ２４で増幅された後、Ａ／Ｄコンバータ（Ａ／Ｄ）２５によりデジタル信号に変換され、システムコントローラ１７に送信される。システムコントローラ１７では、Ａ／Ｄ２５から送信されたデジタルの画像信号に対して、各種画像処理が施される。
【００５４】
ＩＸ２４０フイルム３６から画像を読み取る場合には、前述の１３５フイルム３５の場合と同様に、ＩＸ２４０フイルム３６をＡ方向に１コマずつ送りながらプレスキャンした後、カートリッジ４０にＩＸ２４０フイルム３６を巻き戻しながら、Ｂ方向に１コマずつ送ってファインスキャンを行い、各コマの画像を読み取る。
【００５５】
上記のような構成であると、ハーフサイズの１３５フイルム３５の先頭コマ９１ａと最終コマ９１ｂを読み取る際に、圧着板８１で確実に圧着することができる。したがって、圧着不良により１３５フイルム３５の平坦性が保たれず、焦点ボケや画像の歪みが発生して画質が劣化するおそれがない。また、１３５フイルム３５のサイズに応じてマスクを交換する必要がないので、作業効率を向上させることができ、フイルムキャリア１２の構造を簡略化させることができる。さらに、ハーフサイズの１３５フイルム３５の先頭コマ９１ａと最終コマ９１ｂ以外の画像コマ９１は、光軸１４と画像コマ９１の中心Ｏｈとが合う位置で画像の読み取りが行われるので、光学レンズの倍率色収差による画質の劣化を最小限に抑制することができ、また、ＩＲを用いてフイルム上の傷や塵埃の検出を行う場合に、上記の倍率色収差により正常な画素の画像データまで補正してしまうおそれがなくなる。
【００５６】
なお、写真フイルムを平坦にする機構としては、上記実施形態の圧着機構８０に限らず、例えば図９に示すように、１３５フイルム３５の読み取り位置の上流側および下流側にそれぞれ配された第３、第４搬送ローラ対６４、６７（ＩＸ２４０フイルム３６の場合は第６、第７搬送ローラ対７２、７３）を、１３５フイルム３５を搬送するための一対のローラ部１００と、このローラ部１００よりも小径の軸部１０１とから構成し、ローラ部１００の側端１０２が画像コマ９０、９１に接触しないように搬送ローラを配置するとともに、軸部１０１の外周面１０３で１３５フイルム３５の幅方向のカールを矯正してもよい。
【００５７】
この場合、ローラ部１００と軸部１０１の径の差ｄ３を、０．０５〜０．３ｍｍとすることが好ましい。また、ローラ部１００はポリウレタンゴムなどの弾性部材、軸部１０１はステンレスなどの金属またはテフロン（登録商標）などの樹脂からなることが好ましい。あるいは、ローラ部１００は弾性部材、軸部１０１は表面に樹脂が形成された金属であってもよい。
【００５８】
また、軸部１０１の外周面１０３は、表面粗さが１．６μｍ以下であることが好ましい。あるいは、軸部１０１の外周面１０３は、１３５フイルム３５に付着したゴミを除去するゴミ取りブラシであってもよい。さらに、ローラ部１００と軸部１０１との境目に、軸部１０１の外周面１０３に付着したゴミを集積して除去するためのゴミ取り溝を設けてもよい。
【００５９】
また、図１０に示すように、第３、第４搬送ローラ対６４、６７（第６、第７搬送ローラ対７２、７３）を、１３５フイルム３５の両側部３５ｂと当接する同径ローラ１１０から構成し、この同径ローラ１１０の外周面１１２で１３５フイルム３５の幅方向のカールを矯正してもよい。この場合、同径ローラ１１０の長さを、１３５フイルム３５の画像コマ９２の幅よりも長くすることが好ましい。
【００６０】
図９および図１０に示す構造を採用した場合、ハーフサイズの１３５フイルム３５の先頭コマ９１ａを読み取る際には、第４搬送ローラ対６７に先端９６が挟持される位置に１３５フイルム３５を停止させる。また、最終コマ９１ｂを読み取る際には、第３搬送ローラ対６４に後端９７が挟持される位置に１３５フイルム３５を停止させる。
【００６１】
図９および図１０に示すような構成であると、圧着機構８０が省略されるので、フイルム圧着、圧着解除工程を省略または簡素化することが可能となる。したがって、装置コストダウンおよび小型化、圧着工程の省略化に伴う読み取り時間の短縮化を図ることができる。また、フイルム圧着、圧着解除時の機械的な騒音が無くなり、静音化を実現させることができる。
【００６２】
なお、図９および図１０において、画像コマ９０、９１外で１３５フイルム３５に接触してカールを矯正する補助ローラを、第３搬送ローラ対６４と第４搬送ローラ対６７との間に配置することが好ましい。あるいは、画像コマ９０、９１外で１３５フイルム３５の側部３５ｂを挟み込む一対の第１ガイド部材を、第３搬送ローラ対６４と第４搬送ローラ対６７との間に配置することが好ましく、一対の第１ガイド部材の間隔を、０．５ｍｍ以下とすることが好ましい。または、一対の第１ガイド部材の一方を、他方に向けて付勢する付勢手段を設けることが好ましい。
【００６３】
また、図１０において、１３５フイルム３５の両側端３５ｂに接触し、１３５フイルム３５の搬送を案内する第２ガイド部材を配置し、この第２ガイド部材を１３５フイルム搬送路３７よりも硬質な部材、例えばステンレスから形成することが好ましい。
【００６４】
また、第４搬送ローラ対６７による１３５フイルム３５の搬送量を、第３搬送ローラ対６４による搬送量よりも大きくして、第１読み取り枠４５内で１３５フイルム３５をその搬送方向に張らせる張力発生機構を備えることが好ましく、この張力発生機構は、第３搬送ローラ対６４または／および第４搬送ローラ対６７の回転数または駆動タイミングを制御することが好ましい。あるいは、張力発生機構は、第１読み取り枠４５と、第３搬送ローラ対６４または／および第４搬送ローラ対６７との間に配置され、これらの間で１３５フイルム３５をその搬送方向に撓ませるフリクションローラであることが好ましい。
【００６５】
なお、ここでいう第３、第４搬送ローラ対６４、６７、第６、第７搬送ローラ対７２、７３は、請求項５、６で表記される第１、第２搬送ローラ対に対応している。また、第３、第４搬送ローラ対６４、６７を構成する全ての搬送ローラを同一の構造としたが、４本のうち少なくとも１本が上記構造を有していればよい。
【００６６】
上記実施形態では、ハーフサイズの１３５フイルム３５であると識別し、距離ｄ１が距離ｄ２よりも小さかった場合にのみ、先頭コマ９１ａと最終コマ９１ｂを読み取る際に位置ずらしを行うようにしたが、１３５フイルム３５のサイズに関わらず、先頭コマと最終コマを読み取る際に必ず位置ずらしを行うようにしてもよい。このようにすると、第２先端検出センサ６５およびコマ検出センサ６６が不要になるうえ、フイルム搬送モータ７４の制御シーケンスを容易に構築することができる。
【００６７】
なお、本発明は、上記実施形態のように、１コマずつ読み取り位置に搬送する間欠送りではなく、写真フイルムを連続送りして、ラインＣＣＤセンサなどの撮像素子で写真フイルムの幅方向に走査する方式にも適用可能である。また、上記実施形態では、２つの搬送路３７、３８を有するフイルムキャリア１２を例として挙げたが、１つの搬送路を有するものに本発明を適用してもよい。
【図面の簡単な説明】
【００６８】
【図１】本発明を適用した画像読取装置の概略構成を示す図である。
【図２】フイルムキャリアを示す外観斜視図である。
【図３】上カバーを開いた状態のフイルムキャリアを示す外観斜視図である。
【図４】フイルムキャリアの内部構成を示す説明図である。
【図５】フイルム搬送方向からみた圧着機構の構成を示す断面図であり、（Ａ）は圧着板が退避位置にある場合、（Ｂ）は挟持位置にある場合をそれぞれ示す。
【図６】フイルム幅方向からみた圧着機構の構成を示す断面図であり、（Ａ）は圧着板が退避位置にある場合、（Ｂ）は挟持位置にある場合をそれぞれ示す。
【図７】上カバーと圧着板を示す分解斜視図である。
【図８】１３５フイルムを示す平面図であり、（Ａ）はフルサイズ、（Ｂ）はハーフサイズの１３５フイルムをそれぞれ示す。
【図９】平坦化機構の別の実施形態を示す斜視図である。
【図１０】平坦化機構のさらに別の実施形態を示す斜視図である。
【符号の説明】
【００６９】
２  画像読取装置
１０  光源
１２  フイルムキャリア
１３  撮像部
１４  光軸
１７  システムコントローラ
２３  エリアＣＣＤセンサ（ＣＣＤ）
３０  キャリアベース
３１  上カバー
３５  １３５フイルム
３６  ＩＸ２４０フイルム
３７  １３５フイルム搬送路
３８  ＩＸ２４０フイルム搬送路
４３、４４  第１、第２読み取り開口
４５、４６  第１、第２読み取り枠
４７、４８  第１、第２ロアマスク
４９、５０  第１、第２アッパマスク
６１、６３、６４、６７、６９、７２、７３  第１〜第７搬送ローラ対
６５  第２先端検出センサ
６６  コマ検出センサ
７４  フイルム搬送モータ
８０  圧着機構
８１  圧着板
８２  駆動部
９０、９１  画像コマ
９１ａ  先頭コマ
９１ｂ  最終コマ
９２、９３  始端
９４、９５  終端
９６  先端
９７  後端
１００  ローラ部
１０１  軸部
１０３、１１２  外周面
１１０  同径ローラ
【図１】
2005195980.tif 000003
【図２】
2005195980.tif 000004
【図３】
2005195980.tif 000005
【図４】
2005195980.tif 000006
【図５】
2005195980.tif 000007
【図６】
2005195980.tif 000008
【図７】
2005195980.tif 000009
【図８】
2005195980.tif 000010
【図９】
2005195980.tif 000011
【図１０】
2005195980.tif 000012